(57)【要約】【課題】電線の縁線などのケーブルを腕金に設置されたピン碍子などの碍子に容易に固定することができ、また、ケーブルにカバーが被覆されていても、あるいはケーブルが急な円弧状に彎曲していても、ケーブルを碍子に固定することができるようにした碍子バインドを提供する。【解決手段】本発明の碍子バインドは、バネ性を有する線条体１によって、両端部に前記ケーブルを引っ掛けるための掛止部１０，１０、中央部に前記各掛止部１０，１０を対向させるための折返部２０、前記各掛止部１０，１０と折返部２０との間に前記碍子５０を挟持するための挟持部３０，３０が一体に設けられている。前記折返部２０には、括れ部２１が設けられている。また、前記各挟持部３０には、掛止部１０，１０側の直線状部３１と、該直線状部３１から前記括れ部２１にかけて彎曲した円弧状部３２とが一体に設けられ、一対の直線状部３１，３１がほぼ平行に配置されている。【選択図】図３
2009118561.tif 000002
【特許請求の範囲】
【請求項１】
碍子にケーブルを固定するための碍子バインドであって、
バネ性を有する線条体によって、両端部に前記ケーブルを引っ掛けるための掛止部、中央部に前記各掛止部を対向させるための折返部、前記各掛止部と折返部との間に前記碍子を挟持するための挟持部が一体に設けられていることを特徴とする碍子バインド。
【請求項２】
前記折返部には、前記挟持部に隣接する部位に括れ部が設けられていることを特徴とする請求項１に記載の碍子バインド。
【請求項３】
前記各挟持部は、掛止部側の直線状部と、該直線状部から前記折返部にかけて彎曲した円弧状部とが一体に設けられ、前記直線状部がほぼ平行に配置されていることを特徴とする請求項１又は２に記載の碍子バインド。
【請求項４】
前記掛止部は、折返端部が同一方向又は反対方向に折り返されて設けられていることを特徴とする請求項１から３のいずれか１項に記載の碍子バインド。
【請求項５】
前記各掛止部には、被保持部が設けられていることを特徴とする請求項１から４のいずれか１項に記載の碍子バインド。
【発明の詳細な説明】
【技術分野】
【０００１】
本発明は、例えば電柱に架設される電線などのケーブルを碍子に固定するための碍子バインドに関する。
【背景技術】
【０００２】
電線の縁線や電話線などのケーブル（以下、主として「縁線」という。）を電柱の腕金に取り付けられたピン碍子に固定するため、碍子バインドが使用される。碍子バインドは、種々提供されているが、例えば、特許文献１には、図８に示すように、絶縁被覆された高張力鋼帯をスパイラル状に加工したホットスティック用巻き付けバインド（以下、「碍子バインド」という。）１００が開示されている。この碍子バインド１００は、中心部１０１がＵ字形に形成されて碍子５０に半周だけ巻き付けられ、両側の巻付部１０２が縁線Ｗにスパイラル状に巻き付けられる。
【０００３】
このような碍子バインド１００は、２人の作業者が２本のストレーリンクトング、絶縁ヤットコ、固定操作棒に取り付けられた巻付グリップトング（いずれも図示せず）を操作して、縁線Ｗをピン碍子５０に固定する。
【０００４】
詳しく説明すると、まず、地絡事故を防止するため、腕金Ｘに防具（図示せず）を被覆した状態で、碍子５０付近の縁線Ｗを第１のストレーリンクトングで支持して碍子５０から離間させ、碍子バインド１００の巻付部１０２を絶縁ヤットコで把持し、碍子５０の側部に沿わせる。次に、離間した縁線Ｗを碍子５０の側部に沿わせるとともに、第２のストレーリンクトングで縁線Ｗと碍子バインド１００の右側部分を碍子５０の右側で保持する。
【０００５】
次に、縁線Ｗを支持している第１のストレーリンクトングを、碍子バインド１００の巻き付けの邪魔にならないように碍子５０付近から左方向に移動する。縁線Ｗは、１人の作業者によって第１と第２のストレーリンクに保持された状態となっている。次に、他の作業者が巻付グリップトングを使用して、碍子バインド１００の左側の巻付部１０２を縁線Ｗに巻き付けていく。
【０００６】
この巻付けが終了すると、第１のストレーリンクトングを縁線Ｗの左側から外し、第２のストレーリンクトングのさらに右側の縁線Ｗを保持する。次に、第２のストレーリンクトングを縁線Ｗ及び碍子バインド１００から取り外す。次に、巻付グリップトングを使用して、碍子バインド１００の右側の巻付部１０２を縁線Ｗに巻き付ける。最後に、第１のストレーリンクトングを縁線Ｗから外すことによって作業が終了する。
【０００７】
【特許文献１】特開２００３−２８１９５４号公報
【発明の開示】
【発明が解決しようとする課題】
【０００８】
碍子バインド１００を縁線Ｗに巻き付けるには、腕金Ｘに防具を被覆した上で、第１と第２のストレーリンクトングを操作しなければならないだけでなく、巻付グリップトングが碍子バインド１００の巻付部１０２を係止して縁線Ｗを１周し、一旦、碍子バインド１００の巻付部１０２から外した上で、再度、碍子バインド１００の巻付部１０２を係止して縁線Ｗを１周するという作業を繰り返さなければならない。しかし、このような作業は、煩雑であり、短時間に終了することが困難であるだけでなく、作業者の上方での操作となるため、重労働となっている。
【０００９】
また、縁線Ｗは、図９に示すように、碍子５０の近傍で切断された後、あらためて接続されてカバーＣで被覆される場合や、分岐スリーブが接続されてカバーＣで被覆される場合がある。しかし、碍子バインド１００は、このようなカバーＣと５ｃｍ以上離れて取り付けなければならないことから、カバーＣが被覆された縁線Ｗには、碍子バインド１００を取り付けることができない場合がある。
【００１０】
さらに、碍子バインド１００は、スパイラル状に加工されているものの、急な円弧に彎曲した縁線Ｗに巻き付けることができない。
【００１１】
そこで、本発明は、電線の縁線などのケーブルを碍子に容易に固定することができ、また、ケーブルにカバーが被覆されていても、あるいはケーブルが急な円弧状に彎曲していても、ケーブルを碍子に固定することができるようにした碍子バインドを提供することを課題とする。
【課題を解決するための手段】
【００１２】
本発明に係る碍子バインドは、碍子にケーブルを固定するための碍子バインドであって、バネ性を有する線条体によって、両端部に前記ケーブルを引っ掛けるための掛止部、中央部に前記各掛止部を対向させるための折返部、前記各掛止部と折返部との間に前記碍子を挟持するための挟持部が一体に設けられていることを特徴としている。
【００１３】
この碍子バインドによれば、線条体の両端部に設けられた掛止部がケーブルを引っ掛け、線条体の一対の挟持部が碍子を挟持することにより、前記ケーブルが碍子に引き寄せられた状態に固定される。バネ性を有する線条体によって設けられた挟持部が碍子部を挟持した状態を維持することにより、碍子バインドが碍子から外れないようにされている。したがって、この碍子バインドは、極めて容易にケーブルを碍子に固定することができるだけでなく、ケーブルにカバーが被覆されていても、あるいは、ケーブルが急な円弧に彎曲していても、ケーブルを碍子に固定することができる。
【００１４】
また、前記本発明に係る碍子バインドにおいて、前記折返部には、前記挟持部に隣接する部位に括れ部が設けられていることが好ましい。この碍子バインドによれば、折返部に括れ部が設けられていることにより、折返部に挟持部が近接する方向のバネ性を持たせることができる。すなわち、挟持部が碍子を挾持したときに、挟持部に拡開する方向の力が作用するが、括れ部によってこの力の反作用が生じ、挟持部が碍子から外れることのないように挟持する。さらに、括れ部から折返端側の折返部は、絶縁ヤットコなどの道具に保持される部位となる。
【００１５】
また、前記本発明に係る碍子バインドにおいて、前記各挟持部は、掛止部側の直線状部と、該直線状部から前記折返部にかけて彎曲した円弧状部とが一体に設けられ、前記直線状部がほぼ平行に配置されていることが好ましい。この碍子バインドによれば、各挟持部が直線状部と円弧状部とを一体に設けたものとされることにより、各円弧状部が徳利形状の碍子の頸部ないし肩部に沿い、各直線状部が徳利形状の碍子の頸部ないし肩部を挟む状態となり、そして、各掛止部がケーブルを直角方向に引っ掛ける向きとされる。
【００１６】
また、前記本発明に係る碍子バインドにおいて、前記掛止部は、折返端部が同一方向又は反対方向に折り返されて設けられていることが好ましい。この碍子バインドによれば、線条体の折返端部が同一方向に折り返された掛止部が設けられることにより、掛止部をケーブルに引っ掛ける操作性を良好なものとし、また、線条体の折返端部が反対方向に折り返された掛止部が設けられることにより、掛止部がケーブルを上側と下側とから挟む状態となり、ケーブルに捩れる力が加えられても、ケーブルが掛止部から外れないようにすることができる。
【００１７】
また、前記本発明に係る碍子バインドにおいて、前記各掛止部には、被保持部が設けられていてもよい。この碍子バインドによれば、掛止部にケーブルを引っ掛け、挟持部が碍子を挟持した状態で、絶縁ヤットコなどの道具によって被保持部を保持し、折返部から掛止部の方向に引っ張ることによって、挟持部が強固に碍子を挟持することができる。
【発明の効果】
【００１８】
本発明によれば、碍子バインドがバネ性を有する線条体の両端部に掛止部、中央部に折返部、この掛止部と折返部との間に挟持部を一体に設けたものとされ、この碍子バインドを使用することにより、ケーブルを碍子に固定する作業性を向上させることができる。また、碍子付近のケーブルにカバーが被覆されていても、あるいは、ケーブルが急な円弧状に彎曲していても、本発明の碍子バインドによって、ケーブルを碍子に固定することができる。
【発明を実施するための最良の形態】
【００１９】
本発明に係る碍子バインドの第１の実施形態について図１ないし図３を参照しながら説明する。この碍子バインドは、電線の縁線や電話線などのケーブル（以下、主として「縁線」という。）Ｗを電柱Ｙに取り付けられた腕金Ｘに設置されるピン碍子、あるいは壁（図示せず）に設置される碍子など各種碍子５０に固定するためのもので、図１に示すように、バネ性を有する線条体１によって、両端部に掛止部１０，１０、中央部に両掛止部１０，１０を対向させるための折返部２０、掛止部１０，１０と折返部２０との間に挟持部３０，３０を一体に設けている。
【００２０】
線条体１としては、半導電性グリップと同等の強度と材質のものが使用される。半導電性グリップは、例えば、亜鉛めっき鋼線をＳ撚りした心線を半導電性ポリエチレン樹脂で被覆したものである。具体的な寸法として、鋼線の心線の外径が２．８ｍｍ、半導電性ポリエチレン樹脂の被覆の外径が８ｍｍと５．５ｍｍの楕円形、長さが６００ｍｍである半導電性グリップは、線条体１として使用することができる。芯線が鋼線によって形成されていることにより、線条体１がバネ性を有するものとし、半導電性ポリエチレン樹脂によって被覆されていることにより、線条体１が絶縁性を有するだけでなく、碍子５０上を滑りにくいものとすることができる。
【００２１】
そして、掛止部１０，１０は、縁線Ｗを引っ掛ける部位であり、挟持部３０，３０の方にＵ字形に折り返された折返端部１１，１１が設けられ、内径が縁線Ｗの外径と同じとされている。また、折返端部１１，１１は、縁線Ｗが引っ掛かりやすく、かつ、外れにくいように直線状に形成されている。このような掛止部１０，１０は、図示したように両方とも上向きとしてもよいし、両方とも下向きとしてもよい。
【００２２】
そして、折返部２０は、線条体１を折り返すことによって前記各掛止部１０，１０を対向させ、かつ、一対の挟持部３０，３０が碍子５０をバネ性をもって挟持するようにするための部位であり、挟持部３０，３０に隣接する部位に括れ部２１が設けられている。この括れ部２１によって、碍子バインドのバネ性が強化される。すなわち、各挟持部３０，３０が拡開する方向の力が作用したときに、括れ部２１によってこの力の反作用として、挟持部３０，３０の間隔を近接させようとする力が強力に作用する。また、括れ部２１から折返端２２側の折返部２０が、絶縁ヤットコなどの道具に保持される部位となる。
【００２３】
そして、挟持部３０，３０は、前記のように碍子５０を挟持する部位であり、掛止部１０，１０側の直線状部３１と、この直線状部３１から括れ部２１にかけて彎曲した円弧状部３２とが一体に設けられ、直線状部３１がほぼ平行に配置されている。
【００２４】
この碍子バインドは、以上のように構成され、次に、縁線Ｗを碍子５０に固定する方法について図２及び図３を参照しながら説明する。
【００２５】
なお、碍子５０は図示したように、徳利形状をしており、胴部５１、肩部５２、頸部５３そして頭部５４が鉛直方向に連続して設けられ、頭部５４が胴部５１よりも細く、頸部５３が頭部５４よりも細く、肩部５２が胴部５１から頸部５３にかけて傾斜した斜面とされている。また、図示した胴部５１には、肩部５２寄りの位置に環状の凹部が設けられているが、凹部が設けられていない碍子バインドも使用される。いずれにしても、一対の挟持部３０，３０の間隔は、胴部５１よりも狭く、かつ、頸部５３よりも広くされ、括れ部２１の間隔は、頸部５３よりも狭く、そして、挟持部３０，３０は、頸部５３よりも長くされている。
【００２６】
したがって、碍子５０に沿っている縁線Ｗをストレーリンクトング（図示せず）によって碍子５０から離隔させた状態とし、碍子バインドの一対の挟持部３０，３０が碍子５０の頸部５３を挟み、掛止部１０，１０が碍子５０の肩部５２から突出した状態とする。そして、図２に示すように、掛止部１０，１０に縁線Ｗを引っ掛ける。掛止部１０，１０が碍子５０の肩部５２よりも突出することにより、縁線Ｗは掛止部１０，１０に容易に引っ掛けられる。なお、この碍子バインドの挟持部３０，３０が碍子５０の頸部５３を挟み、掛止部１０，１０に縁線Ｗを引っ掛ける操作は、絶縁ヤットコなどの道具（図示せず）が折返部２０の折返端２２を掴むことによって行う。
【００２７】
そして、折返部２０の折返端２２を掴んだ絶縁ヤットコなどの道具によって碍子バインドを掛止部１０，１０から折返部２０の方向（矢印Ａ方向）に引っ張る。すると、図３に示すように、掛止部１０，１０に引っ掛けられている縁線Ｗが掛止部１０，１０を介して碍子５０の肩部５２上に載る状態となり、一対の挟持部３０，３０の円弧状部３２が碍子５０の頸部５３に沿いつつ、一対の挟持部３０，３０の直線状部３１，３１がバネ性をもって碍子５０の肩部５２を挟持する。
【００２８】
碍子５０の肩部５２が斜面とされているため、一対の掛止部１０，１０が碍子５０の肩部５２の低くなった下側に位置し、折返部２０が碍子５０の頭部５４の方に位置することにより、挟持部３０，３０は若干傾斜姿勢で碍子５０の肩部５２ないし頸部５３を挟持し、拡開する状態となる。
【００２９】
そして、碍子バインドは、バネ性を有する線条体１によって形成され、また、折返部２０に括れ部２１が設けられていることにより、一対の挟持部３０，３０の直線状部３１には、碍子５０の肩部５２から拡開する方向の力の反作用として一対の挟持部３０，３０の直線状部３１が碍子５０の肩部５２を押圧するように挟持する。また、円弧状部３２が頸部５３に沿う状態となって頸部５３を挟持する。
【００３０】
このようにして、本碍子バインドを使用することにより、縁線Ｗを極めて容易に碍子５０に固定することができる。したがって、この作業は、１人の作業者でもこなすことができ、また、腕金Ｘに防具を被覆しなくてもよい。
【００３１】
次に、本発明に係る碍子バインドの第２ないし第５の実施形態について、図４ないし図７を参照しながら説明する。第２の実施形態における碍子バインドは、図４に示すように、一方の掛止部１０を上向き、他方の掛止部を下向きとしたものである。この碍子バインドは、縁線Ｗに捩れるような力が作用したとしても、外れないようにすることができる。
【００３２】
また、第３の実施形態における碍子バインドは、図５に示すように、各掛止部１０，１０に被保持部１２を設けたものである。この碍子バインドは、掛止部１０，１０に縁線Ｗが引っ掛けられた後、絶縁ヤットコなどの道具がこの被保持部１２を掴み、折返部２０から掛止部１０，１０の方向（矢印Ｂ）に碍子バインドを引っ張ることにより、一対の挟持部３０，３０が碍子５０の肩部５２ないし頸部５３を挾持し、碍子５０から外れないようにする。
【００３３】
また、第４の実施形態における碍子バインドは、図６（ａ）に示すように、直線状態から碍子５０に取り付けるときに図１に示す状態に成形するものである。この碍子バインドは、少なくとも一方の掛止部１０に被保持部１２が設けられている。そして、図６（ｂ）に示すように、被保持部１２が設けられていない掛止部１０を縁線Ｗに引っ掛けた状態で、絶縁ヤットコなどの道具で被保持部１２を掴み、線条体１の中間部を碍子５０の頸部５３に纏い掛ける。最後に、図６（ｃ）に示すように、被保持部１２を設けた側の掛止部１０，１０を縁線Ｗに引っ掛ける。
【００３４】
また、第５の実施形態における碍子バインドは、図７に示すように、一方の掛止部１０をスパイラル状に形成し、他方の掛止部１０に折返端部１１を設けてＵ字形状としたものである。スパイラル形状の掛止部１０が一方にのみ形成されることにより、両方に形成されるよりも作業性が向上し、しかも、このスパイラル形状の掛止部１０によって縁線Ｗを強力に保持することができる。なお、他方の掛止部１０には、図７に示すように、被保持部１２が設けられてもよいし、設けられなくてもよい。
【００３５】
前記第１ないし第５のいずれの実施形態における碍子バインドも、縁線Ｗから外すときは、逆の操作をする。
【００３６】
なお、本発明は、前記実施形態に限定することなく、本発明の特許請求の範囲に記載した技術的事項の範囲内において種々変更することができる。例えば、碍子５０の頭部５４がドーム状に形成されている場合は、碍子バインドを頭部５４の上方から下降することにより、一対の挟持部３０，３０が肩部５２ないし頸部５３を挟持するようにしてもよい。また、各碍子バインドの挟持部３０，３０は、円弧状部３２，３２を設けることなく、ハ字形に配置される直線状部３１，３１のみとしてもよい。さらに、特に第３、第５の実施形態における碍子バインドは、括れ部２１を設けなくてもよい。
【図面の簡単な説明】
【００３７】
【図１】本発明に係る碍子バインドの第１の実施形態を示す斜視図である。
【図２】本発明に係る第１の実施形態の碍子バインドによってケーブルを碍子に固定する途中の状態を示す斜視図である。
【図３】本発明に係る第１の実施形態の碍子バインドによってケーブルを碍子に固定した状態を示す斜視図である。
【図４】本発明に係る第２の実施形態の碍子バインドによってケーブルを碍子に固定した状態を示す斜視図である。
【図５】本発明に係る第３の実施形態の碍子バインドによってケーブルを碍子に固定した状態を示す斜視図である。
【図６】本発明に係る第４の実施形態の碍子バインドを示し、（ａ）はケーブルを碍子に固定する前の状態を示す斜視図、（ｂ）はケーブルを碍子に固定している途中の状態を示す斜視図、（ｃ）はケーブルを碍子に固定した状態を示す斜視図である。
【図７】本発明に係る第５の実施形態の碍子バインドによってケーブルを碍子に固定した状態を示す斜視図である。
【図８】従来の碍子バインドを示す正面図である。
【図９】ケーブル（縁線）が碍子に固定されている状態を示す斜視図である。
【符号の説明】
【００３８】
１……線条体
１０…掛止部
１１…折返端部
２０…折返部
２１…括れ部
３０…挾持部
３１…直線状部
３２…円弧状部
５０…碍子
Ｗ……ケーブル（縁線）
【図１】
2009118561.tif 000003
【図２】
2009118561.tif 000004
【図３】
2009118561.tif 000005
【図４】
2009118561.tif 000006
【図５】
2009118561.tif 000007
【図６】
2009118561.tif 000008
【図７】
2009118561.tif 000009
【図８】
2009118561.tif 000010
【図９】
2009118561.tif 000011